(57)【要約】【課題】  展示スペースの見栄えを向上させる。【解決手段】本発明は、本体機器にケーブルを介して電気的に接続される電子機器を支持部材に取り付けて展示する際に使用される電子機器展示用器具であって、前記支持部材の表面に裏面が取り付けられる第１のパーツと、該第１のパーツに着脱可能に設けられ、前記電子機器の裏面に表面が取り付けられる第２のパーツと、を備え、前記第１のパーツの裏面及び前記第２のパーツの表面には、それぞれ、前記ケーブルを収容可能な収容凹部が形成されていることを特徴とする。【選択図】図１
2014102475.tif 000002
【特許請求の範囲】
【請求項１】
本体機器にケーブルを介して電気的に接続される電子機器を支持部材に取り付けて展示する際に使用される電子機器展示用器具であって、
前記支持部材の表面に裏面が取り付けられる第１のパーツと、
該第１のパーツに着脱可能に設けられ、前記電子機器の裏面に表面が取り付けられる第２のパーツと、
を備え、
前記第１のパーツの裏面及び前記第２のパーツの表面には、それぞれ、前記ケーブルを収容可能な収容凹部が形成されていることを特徴とする電子機器展示用器具。
【請求項２】
前記収容凹部は、平面視で十字状の溝により構成されていることを特徴とする請求項１に記載の電子機器展示用器具。
【請求項３】
前記溝の内側面には、互いに対向する位置に突起部が形成されていることを特徴とする請求項１又は２に記載の電子機器展示用器具。
【請求項４】
前記第１のパーツ及び前記第２のパーツは、それぞれ、両面シール部材を介して前記支持部材の表面及び前記電子機器の裏面に貼付されることで着脱可能に取り付けられることを特徴とする請求項１〜３のいずれか１の請求項に記載の電子機器展示用器具。
【請求項５】
前記本体機器は警報充電器であり、前記電子機器は携帯電話機であり、前記支持部材は前記警報充電器に取り付けられるスタンドであることを特徴とする請求項１〜４のいずれか１の請求項に記載の電子機器展示用器具。
【発明の詳細な説明】
【技術分野】
【０００１】
本発明は、携帯電話機等の電子機器を販売店において展示する際に使用する電子機器展示用器具に関するものである。
【背景技術】
【０００２】
一般に、携帯電話機等の電子機器の販売店では、販売する電子機器が展示されている。例えば携帯電話機の販売店では、ケーシングやスイッチ類等の外観部品は備えているものの電子回路等の内部部品を備えていない携帯電話機のダミーの他に、すべての部品を備えた実物の携帯電話機が展示されている。
【０００３】
ダミーは実際に稼働させて操作することができないが、実物の携帯電話機は、来店客が実際に稼働させて操作することができるように、電源を入れることができる状態、又は電源を入れた状態で展示されるため、ケーブルを介して充電器等の本体機器に接続され、商用電源から充電または給電が行われるようになっている（例えば、特許文献１又は非特許文献１参照）。
【先行技術文献】
【特許文献】
【０００４】
【特許文献１】実用新案登録第３０７２３８１号公報
【非特許文献】
【０００５】
【非特許文献１】株式会社ワークスタジオのウェブサイト（http://workstudio.co.jp/）
【発明の概要】
【発明が解決しようとする課題】
【０００６】
しかしながら、上記した従来の展示手段や展示方法では、携帯電話機等の電子機器に接続されているケーブルが電子機器と本体機器との間で完全に露出しているため、デザイン性を重視する新機種の電子機器を展示するスペースの見栄えを悪化させる要因となるという問題がある。
【０００７】
また、来店客が展示されている電子機器を手に取って操作等した後に元の場所に戻す時に、ケーブルが絡まったり、捩じれたりして、元の位置に戻す作業が煩わしくなったり、或いは、元の綺麗に展示されていた状態に戻すことができず、電子機器の展示状態が乱れるという問題がある。
【０００８】
本発明は、上記した課題を解決すべくなされたものであり、展示スペースの見栄えを向上させると共に、電子機器を元の展示位置に簡単に戻すことができ、電子機器の展示状態を常に整理された状態に維持することのできる電子機器展示用器具を提供することを目的とするものである。
【課題を解決するための手段】
【０００９】
上記した目的を達成するため、本発明は、本体機器にケーブルを介して電気的に接続される電子機器を支持部材に取り付けて展示する際に使用される電子機器展示用器具であって、前記支持部材の表面に裏面が取り付けられる第１のパーツと、該第１のパーツに着脱可能に設けられ、前記電子機器の裏面に表面が取り付けられる第２のパーツと、を備え、前記第１のパーツの裏面及び前記第２のパーツの表面には、それぞれ、前記ケーブルを収容可能な収容凹部が形成されていることを特徴とする。
【００１０】
この特徴によれば、本体機器や電子機器の種類に拘わらず、本体機器と電子機器との間のケーブルの露出長さを最小限に抑制することができるため、電子機器の展示スペースの見栄えを向上させることができると共に、電子機器を元の展示位置に簡単に戻すことができ、電子機器の展示状態を常に整理された状態に維持することができる。
【００１１】
また、本発明に係る電子機器展示用器具において、前記収容凹部は、平面視で十字状の溝により構成されていることを特徴とする。
【００１２】
この特徴によれば、収容凹部を単純な形状とすることができ、製作の簡素化及びコストの低減化を図ることができる。
【００１３】
また、本発明に係る電子機器展示用器具において、前記溝の内側面には、互いに対向する位置に突起部が形成されていることを特徴とする。
【００１４】
この特徴によれば、溝に収容されているケーブルをずれることなくしっかりと保持することができる。
【００１５】
また、本発明に係る電子機器展示用器具において、前記第１のパーツ及び前記第２のパーツは、それぞれ、両面シール部材を介して前記支持部材の表面及び前記電子機器の裏面に貼付されることで着脱可能に取り付けられることを特徴とする。
【００１６】
この特徴によれば、展示する電子機器の種類が変更された場合でも、第１のパーツ及び第２のパーツを簡単に取り外して何度も利用することができるため、便宜性及び経済性の向上を図ることができる。
【００１７】
また、本発明に係る電子機器展示用器具において、前記本体機器は警報充電器であり、前記電子機器は携帯電話機であり、前記支持部材は前記警報充電器に取り付けられるスタンドであることを特徴とする。
【００１８】
この特徴によれば、携帯電話機や警報充電器のケーブルを接続するポートの位置が機種によって異なったとしても、第１のパーツ及び第２のパーツに対するケーブルの挿入位置や取り出し位置を上下左右の任意の位置に設定することができるため、ケーブルの露出長さを最短にすることができ、余分なケーブルが垂れたりするのを防止することができる。また、警報充電器を使用し、携帯電話機と警報充電器との間を一本のケーブルで接続することができるため、ケーブルの見栄えをさらに向上させることができる。
【発明の効果】
【００１９】
本発明によれば、本体機器や電子機器の機種に拘わらず、本体機器と電子機器との間のケーブルの露出長さを最小限に抑制することができるため、電子機器の展示スペースの見栄えを向上させることができると共に、電子機器を元の展示位置に簡単に戻すことができ、電子機器の展示状態を常に整理された状態に維持することができる等、種々の優れた効果を得ることができる。
【図面の簡単な説明】
【００２０】
【図１】本発明の実施の形態に係る電子機器展示用器具を取り付けた状態を示す斜視図である。
【図２】本発明の実施の形態に係る電子機器展示用器具を示す平面図である。
【図３】本発明の実施の形態に係る電子機器展示用器具の第１のパーツの表面を示す平面図である。
【図４】本発明の実施の形態に係る電子機器展示用器具の第１のパーツの裏面及び第２のパーツの表面を示す平面図である。
【図５】本発明の実施の形態に係る電子機器展示用器具の第２のパーツの裏面を示す平面図である。
【発明を実施するための形態】
【００２１】
以下、図面を参照しつつ、本発明の実施の形態に係る電子機器展示用器具について説明する。ここで、図１は本発明の実施の形態に係る電子機器展示用器具を取り付けた状態を示す斜視図、図２は本発明の実施の形態に係る電子機器展示用器具を示す平面図、図３は本発明の実施の形態に係る電子機器展示用器具の第１のパーツの表面を示す平面図、図４は本発明の実施の形態に係る電子機器展示用器具の第１のパーツの裏面及び第２のパーツの表面を示す平面図、図５は本発明の実施の形態に係る電子機器展示用器具の第２のパーツの裏面を示す平面図である。なお、以下の説明では、本発明に係る電子機器展示用器具１を携帯電話機２の展示のために使用する場合について説明する。
【００２２】
本発明の実施の形態に係る電子機器展示用器具１は、スタンド２の表面に裏面が取り付けられる第１のパーツ１０と、携帯電話機３の裏面に表面が取り付けられる第２のパーツ２０と、を備えて構成されている。
【００２３】
スタンド２は、例えばアクリル板により形成され、図１に示されているように、下端が警報充電器４の後端上部に固定されている。そして、スタンド２は、警報充電器４の後端上部から前方に延出する基部２ａと、基部２ａの前端から後斜め上方に延出する斜面部２ｂと、を備えており、斜面部２ｂの表面に第１パーツ１０が取り付けられる。
【００２４】
携帯電話機３は、例えばスマートフォンであり、図２に示されているように、充電用ポート５が上端部左側に設けられている。充電用ポート５には、例えばマイクロＵＳＢコネクタ６を介して一本のケーブル７が接続され、このケーブル７は充電用及び警報用として使用される。
【００２５】
警報充電器４は、図１に示されているように、上面中央部が上方に湾曲すると共に下面が平坦に形成された外観を成し、下面に両面シールを貼付することにより所定場所に着脱自在に取り付けられるようになっている。警報充電器４の後端部には、図２に示されているように、ＡＣアダプタ１８用のミニＵＳＢコネクタが接続可能な電源ポート８と、３．５ｍｍコネクタ９を介してケーブル７が接続可能な警報ポート１９と、が形成されている。
【００２６】
警報充電器４は、充電機能と警報機能を有しており、ＡＣアダプタ１８が電源ポート８に接続された状態でケーブル７を介して携帯電話機３へ充電または給電を行っている間に携帯電話機３からケーブル７が外された場合やケーブル７が切断された場合には、自動的に警報音を鳴らすと共に警報光を発するように構成されている。
【００２７】
第１のパーツ１０は、例えば合成樹脂製で縦長矩形板状に形成されており、四隅は湾曲して形成されている。図３に良く示されているように、第１のパーツ１０の表面には、平面視で略Ｕ字状に湾曲した凹部１１が上端から下方に向かって幅狭となるように形成されており、凹部１１の下端に磁石１２が埋め込まれている。
【００２８】
図４に良く示されているように、第１のパーツ１０の裏面には、平面視十字状の溝１３が形成されており、溝１３は、第１のパーツ１０の左端中央部から右端中央部に向かう横溝１３ａと、第１のパーツ１０の上端中央部から下端中央部に向かう縦溝１３ｂと、が第１パーツ１０の中心で直交するように形成されている。横溝１３ａ及び縦溝１３ｂの内側面には、それぞれ、互いに対向する位置に複数の突起部１４が所定間隔で形成されている。また、第１のパーツ１０は、その裏面に両面シールを貼付することによりスタンド２の斜面部２ｂの表面に着脱自在に取り付けられる。
【００２９】
第２のパーツ２０は、例えば合成樹脂製で第１のパーツ１０に着脱可能なように第１のパーツ１０と同一平面形状に形成されている。図４に良く示されているように、第２パーツ２０の表面には、平面視十字状の溝２１が形成されており、溝２１は、第２のパーツ２０の左端中央部から右端中央部に向かう横溝２１ａと、横溝２１ａの中央から第１のパーツ１０の下端中央部に向かう縦溝２１ｂと、が第２パーツ２０の中心で直交するように形成されている。横溝１３ａ及び縦溝１３ｂの内側面には、第１のパーツ１０と同様に、それぞれ、互いに対向する位置に複数の突起部１４が所定間隔で形成されている。
【００３０】
図５に良く示されているように、第２のパーツ２０の裏面には、上端から下方に向かって平面視Ｕ字状の凸部２２が形成されており、この凸部２２は第１のパーツ１０の凹部１１に嵌合可能なように形成されている。凸部２２の下端には磁石２３が埋め込まれており、この磁石２３は第１のパーツ１０の磁石１２と反対の極性を有し、磁石１２，２３は互いに引き付け合うようになっている。また、第２のパーツ２０は、その表面に両面シールを貼付することにより携帯電話機３の裏面に着脱自在に取り付けられる。
【００３１】
次に、上記した構成を備えた本発明の実施の形態に係る電子機器展示用器具１を使用して携帯電話機３を展示する方法について説明する。
【００３２】
先ず、警報充電器４の電源ポート８にＡＣアダプタ１８を接続すると共に警報ポート１９にケーブル７を接続し、両面シールを介して警報充電器４を所定位置に取り付ける。
【００３３】
次いで、第１のパーツ１０の溝１３にケーブル７を収容させた状態で、第１のパーツ１０の裏面を両面シールによりスタンド２の斜面部２ｂの表面に貼付することで第１のパーツ１０をスタンド２に取り付ける。
【００３４】
この時、本実施の形態では、警報充電器４の後端部に警報ポート９が設けられているため、警報ポート９に接続されたケーブル７を第１のパーツ１０の上側から縦溝１３ｂに挿入し、横溝１３ａを通して正面視左側から取り出している。また、横溝１３ａ及び縦溝１３ｂにはそれぞれ突起部１４が形成されているため、ケーブル７は第１のパーツ１０の溝１３内でずれることなくしっかりと保持される。
【００３５】
さらに、第２のパーツ２０の溝２１にケーブル７を収容させて状態で、第２のパーツ２０の表面を両面シールにより携帯電話機３の裏面に貼付することで第２のパーツ２０を携帯電話機３に取り付け、携帯電話機３の充電用ポート５にケーブル７を接続する。
【００３６】
この時、本実施の形態では、携帯電話機３の上端部に充電用ポート５が設けられているため、第１のパーツ１０から取り出したケーブル７を第２パーツ２０の正面視左側から横溝２１ａに挿入し、縦溝２１ｂを通して上側から取り出している。また、横溝２１ａ及び縦溝２１ｂにはそれぞれ突起部１４が形成されているため、ケーブル７は第２のパーツ２０の溝２１内でずれることなくしっかりと保持される。
【００３７】
このように第１のパーツ１０及び第２のパーツ２０をそれぞれスタンド２及び携帯電話機３に取り付けた状態で、第２のパーツ２０の凸部２２を第１のパーツ１０の凹部１１に嵌合させると、第１のパーツ１０の磁石１２が第２パーツ２０の磁石２３を引き付けられることにより、凸部２２と凹部１１の嵌合状態が保持され、携帯電話機３は正面に向かって傾斜した姿勢でスタンド２に展示される。
【００３８】
このように携帯電話機３がスタンド２に展示された状態では、携帯電話機３と警報充電器４の間のケーブル７の大部分は第１のパーツ１０及び第２のパーツ２０に収容され、余分なケーブル７が露出することがないため、デザイン性を重視する新機種の携帯電話機３を展示するスペースの見栄えが良くなり、携帯電話機３の販売促進を図ることが期待できる。
【００３９】
また、来店客が展示されている携帯電話機３を手に取って操作等した後に元の展示場所に戻す時に、ケーブルが絡まったり、捩じれたりすることがなく、携帯電話機３を容易且つ確実に元の展示位置に戻すことができ、携帯電話機３の展示状態を常に綺麗に保つことができる。
【００４０】
さらに、携帯電話機３や警報充電器４のケーブル７を接続するポートの位置は、機種によって異なるが、第１のパーツ１０及び第２のパーツ２０にそれぞれ溝１３，２１を設けることにより、第１のパーツ１０及び第２のパーツ２０に対するケーブル７の挿入位置や取り出し位置を上下左右の任意の位置に設定することができる。そのため、ケーブル７の露出長さを最短にすることができ、余分なケーブルが垂れたりするのを防止することができる。
【００４１】
さらにまた、警報充電器４を使用し、携帯電話機３と警報充電器４との間を一本のケーブル７で接続することができるため、ケーブル７の見栄えをさらに向上させることができる。
【００４２】
なお、上記した実施の形態では、第１のパーツ１０及び第２のパーツ２０の溝１３，２１がそれぞれ平面視十字状に形成されているが、本発明はこれらの形状に限定されるものではない。すなわち、例えば、第１のパーツ１０及び第２のパーツ２０のいずれか一方又は両方の溝１３，２１が平面視でＴ字状或いは逆Ｔ字状に形成されていたり、或いは、平面視でＸ字状、Ｙ字状、Ｖ字状、Ｉ字状、Ｌ字状等、他の形状に形成されていたりしてもよい。
【００４３】
また、上記した実施の形態では、本発明に係る電子機器展示用器具１を携帯電話機３の展示のために使用した場合について説明したが、これは単なる例示に過ぎず、本発明は、ノートパソコン、携帯音楽プレーヤ、デジタルカメラ、ビデオカメラ、携帯ゲーム機、電卓等、携帯電話機３以外の電子機器を展示する場合にも適用可能である。
【００４４】
また、第１のパーツ１０はスタンド２の他、パネルや壁等の支持部材全般に取り付けてもよく、また、警報充電器４の代わりに、単なる充電器等、他の本体機器であってもよく、さらに、携帯電話機３と本体機器との間のケーブルの本数が例えば充電用ケーブルと警報用ケーブルのように複数存在する場合であっても、溝１３，２１の幅又は深さを大きくしたり、或いは溝１３，２１の本数を増やしたりすることで、本発明を適用することが可能である。
【００４５】
さらにまた、上記した本発明の各実施形態の説明は、本発明に係る電子機器展示用器具１における好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の各実施形態における構成要素は適宜、既存の構成要素等との置き換えが可能であり、且つ、他の既存の構成要素との組合せを含む様々なバリエーションが可能であり、上記した本発明の各実施形態の記載をもって、特許請求の範囲に記載された発明の内容を限定するものではない。
【符号の説明】
【００４６】
１  電子機器展示用器具
２  スタンド（支持部材）
３  携帯電話機（電子機器）
４  警報充電器（本体機器）
７  ケーブル
１０  第１のパーツ
１３  溝（収容凹部）
２０  第２のパーツ
２１  溝（収容凹部）
【図１】
2014102475.tif 000003
【図２】
2014102475.tif 000004
【図３】
2014102475.tif 000005
【図４】
2014102475.tif 000006
【図５】
2014102475.tif 000007